(57)【要約】 【課題】  モニターを空調の吹出口やオーディオ機器の前に取り付けても、モニターの高さを自在に変えてオーディオ機器の操作や、空調の吹出口を遮らない位置への設定を容易にし、かつ、高さ変更後にその姿勢を維持するカーナビゲーションのモニターの取付支持具を提供すること。【解決手段】  車体に固定される取付板32および円柱部31を有する取付金具３と、この取付金具３の円柱部31を挟んで回転自在に支持するコ字形の凹部21および摺動溝22を形成した支持金具２と、この支持金具２の摺動溝22に沿って摺動する摺動金具１と、この摺動金具１に結合されたモニターを保持する保持部材９とを具備し、  摺動金具１には間隔をあけて複数の係合穴11をあけ、上記支持金具２には、摺動金具1の複数の係合穴11に係止するボール４をスプリング41により押し付けるクリックストップ機構を設けたものである。【選択図】      図２
2006142974.tif 000002
【特許請求の範囲】
【請求項１】
車体に固定される取付板および円柱部を有する取付金具と、
該取付金具の円柱部を挟んで回転自在に支持するコ字形の凹部および摺動溝を形成した支持金具と、
該支持金具の摺動溝に沿って摺動する摺動金具と、
該摺動金具に結合されたモニターを保持する保持部材とを具備し、
上記摺動金具には間隔をあけて複数の係合穴をあけ、上記支持金具には、上記摺動金具の複数の係合穴に係止する係止部材をスプリングにより押し付けるクリックストップ機構を設けたことを特徴とするカーナビゲーションのモニターの取付支持具。
【発明の詳細な説明】
【技術分野】
【０００１】
この発明は、カーナビゲーションのモニターを車体に取り付ける取付支持具に関し、特に、モニターを上下に移動し、前後に傾動させ得るように構成したモニター取付支持具に関する。
【背景技術】
【０００２】
通常、カーナビゲーションのモニターは、車のダッシュボードの上に取り付けるオンダッシュタイプと呼ばれている取付方と、車のダッシュボードに収まるカーオーディオのヘッドユニットを収納するためのスロットを利用したインダッシュタイプと呼ばれている取付方とがある。
【０００３】
オンダッシュタイプに用いられる従来のモニター支持具は、下記特許文献１に開示されているように、自動車のダッシュボード上の決められた位置にモニターを固定し支持するものである。
【０００４】
他方、インダッシュタイプに用いられる従来のモニター支持具は、下記特許文献２に開示されているように、自動車のダッシュボードの収納空間にモニターを収納しておき、使用する際にはモニターを引き出して、モニターをダッシュボードの手前に固定し支持するものである。
【特許文献１】特開平１０−２８１３９３号公報
【特許文献２】特開平１０−３２９６１６号公報
【発明の開示】
【発明が解決しようとする課題】
【０００５】
しかし、オンダッシュタイプにおいては、モニターがダッシュボードの上に位置しているのでモニターは見やすいが、使用しない際には運転中の視界を妨げることになる。
【０００６】
一方、インダッシュタイプでは、使用しない際には、ダッシュボードに格納できて見た目はすっきりするが、モニターの大きさが格納の都合上、制約がある。また、オーディオの操作パネルは空調の吹出口の真下に位置していることが多く、特に、後付けのカーナビゲーションにおいては、モニターを引き出すと空調の吹出口を遮ることや、オーディオ機器を操作をする際にモニターが邪魔になるという欠点があった。
【０００７】
そこで、この発明のモニターの取付支持具は、インダッシュタイプのように、モニターをオーディオ機器の前に取り付けても、モニターの高さを自在に変えてオーディオ機器の操作を容易にし、高さ変更後にその姿勢を維持し、またモニターを使用しない際にはモニターを後方に倒せるように構成したものである。
【課題を解決するための手段】
【０００８】
この発明のカーナビゲーションのモニターの取付支持具は、車体に固定される取付板および円柱部を有する取付金具と、この取付金具の円柱部を挟んで回転自在に支持するコ字形の凹部および摺動溝を形成した支持金具と、この支持金具の摺動溝に沿って摺動する摺動金具と、この摺動金具に結合されたモニターを保持する保持部材とを具備し、
上記摺動金具には間隔をあけて複数の係合穴をあけ、上記支持金具には、上記摺動金具の複数の係合穴に係止する係止部材をスプリングにより押し付けるクリックストップ機構を設けたものである。
【発明の効果】
【０００９】
この発明の取付支持具は取付構造が簡単なので、各種構造のダッシュボードでも簡便にモニターを取り付けることが可能である。
【００１０】
また、クリックストップ機構を設けて、モニターの高さを自在に変えることができ、かつ、高さ変更後に振動を受けてもその姿勢を維持することができる。
【００１１】
通常、空調の吹出口を遮らないように、モニターの位置を下げておくと運転者の視界を妨げることもなく、オーディオ機器を操作するときは、モニターの位置を上げると操作が容易になる。
【００１２】
モニターを使用しないときには、モニターを後方に倒しておくと運転者の視界を妨げることがない。駐車中にも正面から見た際にモニターを隠せ、ナビゲーションの盗難の危険を減らすことができる。
【発明を実施するための最良の形態】
【００１３】
この発明のモニター取付支持具は、図１の斜視図および図２の組立図に示すように、空調の吹出口71（図４参照）を利用して取り付ける取付金具３と、モニター８（図４参照）を保持する保持部材９と、この保持部材９を結合して取付金具３の前面において上下に摺動する摺動金具１と、この摺動金具１を摺動自在に支持するとともに取付金具３に対して傾動自在の支持金具２とにより構成され、摺動金具１を所望の高さに停止させるクリックストップ機構とを備えている。
【００１４】
取付金具３は、円柱部31と、この円柱部31の接線上に形成された取付板32と、円柱部31と取付板32との間に跨る縦板36とから構成される。取付金具３の取付板32は、図４の縦断面図に示すように、空調の吹出口71の下にある隙間に収まり、空調の吹出口71の裏側に固定するためのねじを挿通する穴35があけられている。取付金具３の円柱部31にはボルト６を挿通する貫通穴33があけられている。
【００１５】
支持金具２には、取付金具３の円柱部31を左右から支持する断面がコ字形の凹部21と、ナット61を収納するのナット溝23と、摺動金具１の断面を三面で保持する摺動溝22とが形成されている。凹部21の左右の幅は、取付金具３の円柱部31の幅に左右のワッシャー34の２枚分の厚みの合計と同じである。凹部21を形成する左右の壁にはボルト６を通す貫通穴25があけられている。摺動溝22の底面の中央やや右よりには、ボール４およびコイルスプリング41を挿通するねじ穴24が開けられ、ねじ穴24の左横には、ねじ棒５をねじ込むねじ穴26があけられている。摺動溝22の深さは摺動金具１の厚みと同じであり、幅は摺動金具１の横幅と同じである。
【００１６】
摺動金具１には、中央やや右よりで縦方向に複数の係合穴11があけられており、摺動金具１の裏面には、図３に示すように、係合穴11の右側に縦方向に連続し上下両端が閉じた係止溝12が形成され、連結金具92を介して保持板91をねじ止めする貫通穴13があけられている。
【００１７】
保持部材９は、モニターを保持する保持板91と、保持板91と摺動金具１とを一定の間隔を保って平行に連結する連結金具92と、円形の留め具93とからなる。保持板91には、モニター８を保持するねじを貫通させる穴が上方端部と中間部にあけられている。保持板91の下方の２カ所にねじ穴があけれ、連結金具91には２カ所に貫通穴があけれている。
【００１８】
次に、これらの各部材を組み立てる手順を説明する。まず、取付金具３の円柱部31を上から縦板36が見える状態にして左右を２枚のワッシャー34で挟み、円柱部31の貫通穴33と支持金具２の貫通穴25との位置を合わせてボルト６を挿通する。ボルト６はナット溝23まで貫通し、ナット61によりボルト６をねじ止めする。取付金具２は凹部21で半回転し、モニター８を前後に傾動させることができる。
【００１９】
摺動部材１の係止溝12を設けた側面を摺動溝22の底面に向けた状態で、摺動部材１を摺動溝22に嵌め込み、その上から覆板27をねじ止めする。摺動金具１は、摺動溝22と覆板27とによって保持され、摺動溝22内を縦方向に摺動可能となる。覆板27の中央下部には、摺動金具１が上端まで移動したときに連結金具92が入り込むための切り欠き28が設けれている。
【００２０】
摺動溝22のねじ穴26に、係止突起（先端の頭）を形成したねじ棒５をねじ込むと、ねじ棒５の係止突起が摺動溝22の底面から突出し、摺動金具１の係止溝12の中に入る。係止溝12の上下両端は閉じているので、ねじ棒５の係止突起によって摺動金具１の移動範囲が制限され、モニター８の移動範囲も制限されて取付支持具から外れることがない。
【００２１】
支持金具２のねじ穴24にボール４とコイルスプリング41を挿通して六角ねじ42をねじ込む。六角ねじ42を回すことにより、ボール４の係止部材および摺動金具１に押し付けるコイルスプリング41の弾力を調整することができる。六角ねじ42にもコイルスプリング41により弾力が作用しているので、六角ねじ42は緩み難い。このように組み立てて図１の斜視図に示すように完成する。
【００２２】
車体に取り付ける際には、図４の断面図に示すように、ダッシュボード７の中央上部にある空調の吹出口71の下の隙間を利用して、上向きに貫通穴をあけ、当て板37と取付板32とによりダッシュボード７を挟み付けるようにねじ止めする。当て板37によって留めるとナットだけで留めるよりも確実に取付板32を固定できる。空調の吹出口71の下の隙間以外でも、ダッシュボードのパネルの隙間を適宜利用してもよい。このようにして、摺動金具１を支持した支持金具２がダッシュボードの前面に突出した状態で車体に取り付けられる。
【００２３】
モニター８の裏蓋に形成された嵌合溝を保持部材９の保持板91の上から挿し込むことにより、モニター８を取り付けることができる。
【００２４】
取り付けたモニター８の高さを変更する場合には、モニター８を手で上下させることにより２点鎖線81、82で示すように移動させることができる。通常、空調の吹出口71を遮らないように２点鎖線82で示すように下まで下げておき、モニター８を使用する際には、２点鎖線81で示すように高く上げればよい。また、２点鎖線83で示すようにモニター８を前後に傾動させることも可能である。
【００２５】
このように、モニター８を上下させるとき、摺動金具１の複数の係合穴11とコイルスプリング41で押されたボール４などの係止部材が係合してクリックストップ機構として動作するので、モニター８の高さを変更した後に振動を受けてもその高さを維持することができる。
【００２６】
摺動溝22のねじ穴26にねじ棒５をねじ込む。ねじ棒５の係止突起が摺動溝22の底面から飛び出して、摺動金具１の係止溝12の中に入る。係止溝12の上下両端は閉じており、ねじ棒５の係止突起によって移動範囲が制限されているので、モニター８の移動範囲も制限されて取付支持具から外れることがない。
【図面の簡単な説明】
【００２７】
【図１】この発明のモニター取付支持具の組み立てた状態を示す斜視図、
【図２】この発明のモニター取付支持具の組立図、
【図３】図２に示す摺動金具の裏側の斜視図、
【図４】この発明のモニター取付支持具によりモニターをダッシュボードに取り付けた状態を示す縦断面図である。
【符号の説明】
【００２８】
１  摺動金具
２  支持金具
３  取付金具
４  ボール
５  ねじ棒
６  ボルト
７  ダッシュボード
８  モニター
９  保持部材
11  複数の係合穴
12  係止溝
13  貫通穴
21  凹部
22  摺動溝
23  ナット溝
24  ねじ穴
25  貫通穴
26  ねじ穴
27  覆板
28  切り欠き
31  円柱部
32  取付板
33  貫通穴
34  ワッシャー
35  穴
36  縦板
37  当て板
41  コイルスプリング
42  六角ねじ
61  ナット
71  空調の吹出口
91  保持板
92  連結金具
93  円形留め具
【図１】
2006142974.tif 000003
【図２】
2006142974.tif 000004
【図３】
2006142974.tif 000005
【図４】
2006142974.tif 000006